(57)【要約】【課題】車内外の明るさと美観的装飾効果を向上させる発光効果を備えた車用カーテンレールを提供すること。【解決手段】一組のレール１０及び一組のレール間に移動可能に設けられたカーテン布２０を含む。レール１０は、レール棒体１１とレール棒体に摺動自在に設けられた複数のフック１２とからなる。レール棒体１１は、長手方向に沿った底壁１１０の両側に側壁１１１が形成され、両側壁の底壁寄りに内方に向ってそれぞれ対向する突出部１１３が設けられ、両側壁の両突出部１１３と底壁１１０との間に収容部１１ａが形成され、収容部１１ａ内に長手方向に沿って軟質発光体３０が配置され、軟質発光体３０の両端に接続ワイヤ３３が設けられる。【選択図】図１
0003123195.tif 000002
【実用新案登録請求の範囲】
【請求項１】
一組のレール及び前記一組のレール間に移動可能に設けられたカーテン布を含み、前記レールの各々は、レール棒体と前記レール棒体に摺動自在に設けられた複数のフックとからなり、前記レール棒体は、長手方向に沿った底壁の両側に側壁が形成され、前記底壁に相対して開口部が形成されると共に、前記両側壁の先端部が前記開口部に向けて互いに接近する方向に湾曲され、前記両側壁の前記底壁寄りに内方に向ってそれぞれ対向する突出部が設けられ、前記両側壁の両突出部と前記底壁との間に収容部が形成され、前記収容部内に前記長手方向に沿って軟質発光体が配置され、前記軟質発光体の両端に接続ワイヤが設けられたことを特徴とする車用カーテンレール。
【請求項２】
前記軟質発光体は、フレキシブル回路板上に複数の接続された発光チップを設けてなり、前記接続ワイヤが前記フレキシブル回路板の両端に設けられたことを特徴とする請求項１に記載の車用カーテンレール。
【請求項３】
前記軟質発光体がオンオフ操作スイッチを通じて直接電源に接続されたことを特徴とする請求項１に記載の車用カーテンレール。
【請求項４】
前記軟質発光体が車両のドアの開放センサー及び電源と電気的に接続されたことを特徴とする請求項１に記載の車用カーテンレール。
【考案の詳細な説明】
【技術分野】
【０００１】
本考案は、車内外の明るさと装飾効果を向上する発光効果を備えた車用カーテンレールに関する。
【背景技術】
【０００２】
夏季に自動車の車体は日光に晒されると車内の温度が徐々に高くなり、車内温度が高くなりすぎると車内のプラスチック製の飾り板や内装からトルエンが放出され、平常の２０倍にも達することさえある。トルエンは毒性のある発がん物質で、妊婦の流産や児童の白血病等の症状を引き起こすことがある。また、長期にわたり過度の日光の照射を受けると皮膚がんを誘発することもあるため、特に紫外線が強い熱帯や亜熱帯地域では、上述の病気の発生を防止するために自動車の日除けと車内の換気及び降温を行う必要がある。市場で一般的に見受けられる日除け器材は、自動車の日除けカーテンの類にすぎず、日光の中の人体の健康に有害な光線（特に紫外線）を遮断または反射することを目的とするものである。
【考案の開示】
【考案が解決しようとする課題】
【０００３】
従来の自動車の日除けカーテンは、専ら日光の強い光の下でのみ使用されており、使用完了後には視界に影響することから収納されていた。このため、夜間には全く用いられる用途がなく、その機能は単一であり改良が求められる。
【０００４】
本考案はこれに鑑みてなされたもので、その目的は、車内外の明るさと美観的装飾効果を向上させる発光効果を備えた車用カーテンレールを提供することにある。
【課題を解決するための手段】
【０００５】
請求項１に係る車用カーテンレールは、上記課題を解決するために、一組のレール及び前記一組のレール間に移動可能に設けられたカーテン布を含み、前記レールの各々は、レール棒体と前記レール棒体に摺動自在に設けられた複数のフックとからなり、前記レール棒体は、長手方向に沿った底壁の両側に側壁が形成され、前記底壁に相対して開口部が形成されると共に、前記両側壁の先端部が前記開口部に向けて互いに接近する方向に湾曲され、前記両側壁の前記底壁寄りに内方に向ってそれぞれ対向する突出部が設けられ、前記両側壁の両突出部と前記底壁との間に収容部が形成され、前記収容部内に前記長手方向に沿って軟質発光体が配置され、前記軟質発光体はその両端に接続ワイヤが設けられたことを特徴とする。
【０００６】
請求項２に係る車用カーテンレールは、請求項１に係る車用カーテンレールにおいて、前記軟質発光体が、フレキシブル回路板上に複数の接続された発光チップを設けてなり、前記接続ワイヤが前記フレキシブル回路板の両端に設けられたことを特徴とするものである。
【０００７】
請求項３に係る車用カーテンレールは、請求項１に係る車用カーテンレールにおいて、前記軟質発光体がオンオフ操作スイッチを通じて直接電源に接続されたことを特徴とするものである。また、請求項４に係る車用カーテンレールは、請求項１に係る車用カーテンレールにおいて、前記軟質発光体が車両のドアの開放センサー及び電源と電気的に接続されたことを特徴とするものである。
【考案の効果】
【０００８】
本考案の車用カーテンレールによれば、レール棒体に収容された軟質発光体により、車用カーテン製品に発光効果を付加することができ、車内外の明るさと美観的装飾効果を向上することができる。請求項４に記載の車用カーテンレールによると、ドアを開くと自動的に発光し、乗客の乗車時に車内外の明るさを加増でき、安全性を向上できると共に美観的装飾効果も向上する。
【考案を実施するための最良の形態】
【０００９】
以下、本考案の実施の形態を図面に基いて詳細に説明する。図１は本考案の実施形態に係る車用カーテンレールを分解して示す斜視図である。また、図３は車両のドアにおける設置状態の車用カーテンレールを示す斜視図である。図３に示すように、車用カーテンレールは、一組のレール１０及び一組のレール１０間に移動可能に設置されたカーテン布２０を含む。
【００１０】
図２は、レール１０の長手方向に直交する方向に破断した断面図である。図２に示すように、各レール１０は、レール棒体１１と、レール棒体１１に摺動自在に設けられた複数のフック１２とからなる。レール棒体１１は、長手方向に沿った底壁１１０の両側に側壁１１１，１１１が形成され、底壁１１０に相対して開口部１１２が形成されると共に、両側壁１１１，１１１の先端部が開口部１１２に向けて互いに接近する方向に湾曲されている。両側壁１１１，１１１の内面の底壁１１０寄りには、内方に向ってそれぞれ対向する突出部１１３，１１３が設けられ、両方の突出部１１３，１１３と底壁１１０との間に収容部１１ａが形成され、収容部１１ａには、レール棒体１１の長手方向に沿って軟質発光体３０が配置されている。
【００１１】
軟質発光体３０は、フレキシブル回路板３１上に複数の接続された発光チップ３２を設けてなり、フレキシブル回路板３１の両端には接続ワイヤ３３が設けられている。
【００１２】
なお、レール棒体１１の両方の突出部１１３，１１３と両側壁１１１，１１１の先端部分との間で中空のレール溝１１４が形成され、レール溝１１４にはフック１２の基部が挿入配置され、フック１２の中間部から先端部までが開口部１１２を通じてレール棒体１１の外方に露出されている。
【００１３】
図３に示すように、設置時は、２つのレール棒体１１をそれぞれウィンドウ２の内側上下枠体の適切な位置に設置し、カーテン布２０の上下辺縁部をそれぞれ上下の各レール棒体１１のフック１２上に掛け渡し、軟質発光体３０の両端の接続ワイヤ３３をそれぞれ電源３または接続する次の軟質発光体３０に接続する。
【００１４】
図４は車両のドアにおける車用カーテンレールの使用状態を示す斜視図である。本考案の車用カーテンレールは、主として夜間も使用することができる。図４では、軟質発光体３０は、オンオフ操作スイッチ４を通じて直接電源３に接続されている。オンオフ操作スイッチ４への操作により、随時発光させて使用することができる。
【００１５】
図５は車両のドアにおける車用カーテンレールの別の使用状態を示す斜視図である。図５に示すように、軟質発光体３０と車両のドア５の開放センサー５ａ及び電源３を電気的に接続した後、車両のドア５が開かれるのに連動して軟質発光体３０が発光するようにしてもよい。
【図面の簡単な説明】
【００１６】
【図１】本考案の実施形態に係る車用カーテンレールを分解して示す斜視図である。
【図２】同上の実施形態のレールの長手方向に直交する方向に破断した断面図である。
【図３】車両のドアにおける設置状態の車用カーテンレールを示す斜視図である。
【図４】車両のドアにおける車用カーテンレールの使用状態を示す斜視図である。
【図５】車両のドアにおける車用カーテンレールの別の使用状態を示す斜視図である。
【符号の説明】
【００１７】
２  ウィンドウ
３  電源
４  オンオフ操作スイッチ
５  ドア
５ａ  開放センサー
１０  レール
１１  レール棒体
１１ａ  収容部
１２  フック
２０  カーテン布
３０  軟質発光体
３１  フレキシブル回路板
３２  発光チップ
３３  接続ワイヤ
１１０  底壁
１１１  側壁
１１２  開口部
１１３  突出部
１１４  レール溝
【図１】
0003123195.tif 000003
【図２】
0003123195.tif 000004
【図３】
0003123195.tif 000005
【図４】
0003123195.tif 000006
【図５】
0003123195.tif 000007